(57)【要約】【課題】防犯性を高めることができるとともに、門扉２ａ、２ｂの錠・戸当り構造を提供することをその課題とする。【解決手段】一方の門扉２ａ、２ｂに錠５を設け、他方の門扉２ａ、２ｂには錠受け６と閉止時に上記一方の門扉２ａ、２ｂの先端を受ける戸当り板７とを設けた両開き門扉２ａ、２ｂにおいて、上記戸当り板７を、上記他方の門扉２ａ、２ｂの見込み面の、上記錠５の施錠位置と同じ高さ位置に固定し、戸当り板７の裏側に錠５を配置したことを特徴とする。両側の門扉２ａ、２ｂの見付け面には前記戸当り板７の取付用凹部を設けるのが好ましい。【選択図】図４
2006233686.tif 000002
【特許請求の範囲】
【請求項１】
一方の門扉に錠を設け、他方の門扉には錠受けと閉止時に上記一方の門扉の先端を受ける戸当り板とを設けた両開き門扉において、上記戸当り板を、上記他方の門扉の見込み面の、上記錠による施錠位置と同じ高さ位置に固定し、戸当り板の裏側に錠を配置したことを特徴とする門扉の錠・戸当り構造。
【請求項２】
前記両側の門扉の見付け面には前記戸当り板の取付用凹部を設けたことを特徴とする、請求項１記載の門扉の錠・戸当り構造。
【請求項３】
前記錠受けの台座と前記戸当り板の高さ寸法を同じにしたことを特徴とする、請求項１記載の門扉の錠・戸当り構造。
【発明の詳細な説明】
【技術分野】
【０００１】
本発明は、一方の門扉に錠を、他方の門扉に錠受けと戸当り板とを設けた両開き門扉において、施錠位置と同じ位置に戸当り板を取り付け、戸当り板の裏側に錠が配置されるようにした門扉の錠・戸当り構造に関する。
【背景技術】
【０００２】
一般に、両開き門扉においては、開き勝手により一方の門扉に他方の門扉を受ける戸当り板が取り付けられている。例えば、左勝手内開き門扉では、正面側（道路側）からみて左側の門扉を内側（敷地側）に開く方式をいうが、この場合、右側の門扉は通常は落し棒により開閉できないようにしておき、左側の門扉を内側に開閉して出入りする。そして、右側の門扉の先端から左側の未門扉の側に戸当り板を突出するように取り付けておき、左側の門扉の先端に係合して該門扉が外側に開いてしまわないようにしている。このように戸当り板は両開き門扉には必要な部材であるが、次に示す錠受けを設けた台座と同じ面（敷地側の面）に固定されるので、上記台座の下部に固定される例が多かった。
【０００３】
また、両開き門扉においては、一方の門扉には錠（ラッチ錠とデッドボルト）を設け、他方の門扉にはラッチ錠とデッドボルトを受ける錠受けが形成されている場合が多い。そして、ラッチ錠は門扉の内外から把手の操作で開閉することができ、デッドボルトは門扉の内側からサムターンなどで開閉操作することができるようになっている。したがって、デッドボルトは外部からは操作することはできない。なお、錠と錠受けとはそれぞれ台座に設けられていた。
【特許文献１】特開平１０−２８０７７５号公報
【発明の開示】
【発明が解決しようとする課題】
【０００４】
しかしながら、門扉の見込み面は平面状に形成されるほか、施工誤差や寸法誤差を考慮すれば、門扉を閉じたときに両門扉の間に隙間ができないようにすることはできないから、両門扉間には隙間を形成せざるを得ず、デッドボルトは施錠状態で上記隙間から見ることができる。したがって、上記隙間から鑢や鋸を入れてデッドボルトを切断することは可能であった。
【０００５】
本発明は上記問題点を解消し、防犯性を高めることができるとともに、門扉の錠・戸当り構造を提供することをその課題とする。
【課題を解決するための手段】
【０００６】
前記課題を解決するため、請求項１に係る発明は、一方の門扉に錠を設け、他方の門扉には錠受けと閉止時に上記一方の門扉の先端を受ける戸当り板とを設けた両開き門扉において、上記戸当り板を、上記他方の門扉の見込み面の、上記錠の施錠位置と同じ高さ位置に固定し、戸当り板の裏側に錠を配置したことを特徴とする。
【０００７】
請求項２に係る発明は、前記両側の門扉の見付け面には戸当り板取付用の凹部を設けることを特徴とする。
【０００８】
請求項３に係る発明は、前記錠受けの台座と前記戸当り板の高さ寸法を同じにしたことを特徴とする。
【発明の効果】
【０００９】
請求項１に係る発明によれば、戸当り板は門扉の見込み面に固定されているとともに、錠の施錠位置と同じ高さ位置に取り付けられ、戸当り板の裏側に錠が配置されているから、外側から戸当り板を外すことができないほか、錠の位置は戸当り板に隠れて見えないから、錠を切断することもできない。したがって、防犯性を向上させることができる。また、戸当り板は門扉閉止時に外部から見ることができない見込み面に固定され、施錠時には門扉に固定される部分が外部に露出することがないから、外観が向上する。さらに、戸当り板を門扉の見込み面に取り付けることにより、門扉を受ける部分が正面側になるようにも背面側になるようにも取り付けることができるから門扉の勝手違いに容易に対応することができる。
【００１０】
請求項２に係る発明によれば、門扉の見付け面には戸当り板取付用の凹部が設けられているので、戸当り板の取付部が見込み面から突出することがなく、体裁がよいだけでなく、両側の門扉間の隙間を広くする必要がない。
【００１１】
請求項３に係る発明によれば、錠受けの台座と前記戸当り板の高さ寸法を同じにしたので、錠受けと戸当り板とが一体的に見え、外観上も好ましい。
【発明を実施するための最良の形態】
【００１２】
図１は門の内観図、図２は外観図、図３は図２の錠と錠受け部分の拡大図、図４は図３の平面図、図５は図３のａ−ａ線からみた断面図であり、図６は２つの門扉の要部の分解斜視図である。
【００１３】
図において符号１は門柱、２ａ、２ｂは門扉を示す。この門扉２ａ、２ｂは鋳物製で、その吊元側は門柱１に対してヒンジ金具３を介して回動自在に支持されている。戸先側には把手４と錠５と錠受け６と戸当り板７と落し錠８が設けられている。
【００１４】
把手４と錠５と錠受け６は台座９に設けられている。一方の門扉２ａには把手４と錠５が設けられ、他方の門扉２ｂには把手４と錠受け６が設けられている。錠５は通常のものと同じく、台座９にラッチ錠５ａとデッドボルト５ｂとを上下部に設けたもので、ラッチ錠５ａは把手４により、デッドボルト５ｂはサムターン１７（又は鍵１８）によって操作可能になっている。
【００１５】
錠受け６が設けられた台座９には、ラッチ錠５ａの受け口６ａとデッドボルト５ｂの受け口６ｂとが上下部に形成されている。
【００１６】
なお、門扉２ａ、２ｂの台座取付部分には貫通孔（図示せず）が形成され、正面側（道路側）と背面側（敷地内側）の台座１０、９は同じ高さ位置に、上記貫通孔を利用して一体的に連結固定されている。
【００１７】
次に、戸当り板７は取付部７ａと戸当り部７ｂとから略Ｌ字形に屈曲形成され、取付部７ａと戸当り部７ｂの高さ寸法は上記台座９、１０と同じになるように設定されている。戸当り板７の取付部７ａは門扉２ｂの見込み面１２にネジ止め固定されている。戸当り部７ｂの背面側には嵌合溝が形成され、嵌合溝には弾性体１３が嵌合固定されている。
【００１８】
戸当り板７は門扉２ｂの上記錠の施錠位置と同じ高さ位置にネジ止め固定されている。これにより、戸当り板７の裏側に錠が配置される。
【００１９】
ところで、門扉２ａ、２ｂの見込み面１２の戸当り板用取り付け部には、戸当り板７の取付部７ａの厚みと同じ程度の凹部１４が形成されている。したがって、戸当り板７の取付部７ａを上記取り付け部の凹部１４にネジ止めしたときは、取付部７ａは上記見込み面と面一になる。なお、図５、図６に示されるように、戸当り板７を取り付けない方の門扉２ａの凹部１４には、塞ぎ板１９をネジ止めすればよい。
【００２０】
なお、落し錠８は、戸当り板７を取り付けた側の門扉２ｂに上下動可能に設けられている。
【００２１】
上記構成によれば、通常は図１のように落し錠８により落し棒１５を地面の受け孔１６に係合させて正面左側の門扉２ｂを開閉できないようにしておき、正面右側の門扉２ａを内側に開閉する右勝手内開きの門扉が得られる。そして、上記右側門扉２ａを開き状態から閉じるとき、左側門扉２ｂの戸当り板７に当って閉止位置が規制される。
【００２２】
上述のように、戸当り板７は門扉２ａ、２ｂの見込み面に固定される構成としたから、戸当り板７は錠５の施錠位置と同じ高さ位置に取り付けることができ、戸当り板７の裏側に錠５が配置される構造であるから、正面側から戸当り板７を外すことができないほか、錠５の位置は戸当り板７に隠れて見えないから、錠５を切断することもできない。したがって、防犯性がよい。
【００２３】
しかも、戸当り板７は門扉２ａ、２ｂ閉止時に外部から見ることができない見込み面に固定され、施錠時には門扉２ａ、２ｂに固定される部分が外部に露出することがないから、外観が向上する。
【００２４】
また、門扉２ａ、２ｂの見付け面には段落ちにより戸当り板７取付用の凹部１４が形成されているので、戸当り板７の取付部７ａが見込み面から突出することがなく、両側の門扉２ａ、２ｂ間の隙間を広くする必要もないから体裁がよい。
【００２５】
さらに、錠受けの台座９と前記戸当り板７の高さ寸法を同じにしたので、錠受け６と戸当り板７とが一体的に見え、外観上も好ましい。しかも両側の門扉２ａ、２ｂの台座９の高さ寸法も同じであるから、外観はより良好となる。
【００２６】
さらに、戸当り板７は門扉２ａ、２ｂの見込み面に固定するものであるから、上下逆に取り付けることにより、外開きに対応することができる。このように開き勝手に応じて戸当り板７を自由に取り付けることができる。
【図面の簡単な説明】
【００２７】
【図１】門の内観図である。
【図２】門の外観図である。
【図３】図１の錠と錠受け部分の拡大図である。
【図４】図３の平面図である。
【図５】図３のａ−ａ線からみた断面図である。
【図６】２つの門扉の要部の分解斜視図である。
【符号の説明】
【００２８】
２ａ、２ｂ  門扉
５  錠
６  錠受け
７  戸当り板
【図１】
2006233686.tif 000003
【図２】
2006233686.tif 000004
【図３】
2006233686.tif 000005
【図４】
2006233686.tif 000006
【図５】
2006233686.tif 000007
【図６】
2006233686.tif 000008